(57)【要約】【課題】突出部の外部、特に、視認しにくい位置から電気的装置に接続された配線部材に向けて異物を侵入させて、遊技機の破損や誤作動をさせる等の不正行為を低減することができる遊技機を提供する。【解決手段】遊技者の遊技操作に起因して作動する第一電気的装置６５と、前記第一電気的装置６５に電気的に接続される配線部材６７と、正面方向に向けて突出し、前記第一電気的装置６５と前記配線部材６７が配置される突出部８１が形成された遊技機１において、前記突出部８１の内部には空洞部８２を有すると共に前記空洞部８２に前記配線部材６７が位置するように構成され、前記空洞部８２のうち前記配線部材６７と前記突出部８１の底部８１ａ又は側部８１ｂのいずれか一方又は双方の間に前記配線部材６７を保護する保護部材８５を介在させたことを特徴とする。【選択図】図４
2007195724.tif 000002
【特許請求の範囲】
【請求項１】
遊技者の遊技操作に起因して作動する第一電気的装置と、前記第一電気的装置に電気的に接続される配線部材と、正面方向に向けて突出し、前記第一電気的装置と前記配線部材が配置される突出部が形成された遊技機において、
前記突出部の内部には空洞部を有すると共に前記空洞部に前記配線部材が位置するように構成され、前記空洞部のうち前記配線部材と前記突出部の底部又は側部のいずれか一方又は双方の間に前記配線部材を保護する保護部材を介在させたことを特徴とする遊技機。
【請求項２】
前記第一電気的装置と前記配線部材により電気的に接続された構成であって、前記第一電気的装置の後方側に位置する第二電気的装置を備えたことを特徴とする請求項１に記載の遊技機。
【請求項３】
前記保護部材が取り付けられるベース部材と、前記第一電気的装置が配設され前記突出部の少なくとも一部を形成するカバー部材とを備えており、前記ベース部材と前記カバー部材を組み合わせた際に、前記配線部材が前記空洞部に位置すると共に、前記保護部材が前記配線部材と前記突出部の底部又は側部のいずれか一方又は双方の間に位置することを特徴とする請求項１又は２に記載の遊技機。
【請求項４】
前記ベース部材のうち前記カバー部材が位置する側の面の裏面側あるいは裏面に前記第二電気的装置を配設し、前記配線部材は前記ベース部材に設けた開口を通して前記第一電気的装置と前記第二電気的装置を接続することを特徴とする請求項３に記載の遊技機。
【請求項５】
前記第一電気的装置の少なくとも一部が前記空洞部内に位置するように前記突出部に配設し、前記配線部材と前記突出部の前面部の間に前記空洞部内の前記第一電気的装置が位置することを特徴とする請求項１ないし４のいずれか１項に記載の遊技機。
【発明の詳細な説明】
【技術分野】
【０００１】
この発明は、パチンコ遊技機等の遊技機に関する。
【背景技術】
【０００２】
従来、パチンコ遊技機等の遊技機では、球供給皿等に正面方向に突出した突出部が設けられており、前記球供給皿等の突出部に操作スイッチ等の遊技に関与する電気的装置を配設したものが知られている（例えば、特許文献１参照。）。このような遊技機では、前記突出部の内部を通して前記電気的装置に配線部材を接続するように構成される。
【０００３】
ところで、球供給皿等の突出部は、枠のデザインを成型しやすくしたり、安価に成型可能である等の観点から、プラスチック等の熱可塑性樹脂で構成することが一般的である。しかしながら、前記突出部が熱可塑性樹脂等の安価で成型が容易な材料で構成されることから、タバコの熱や薬品等によって容易に変質してしまったり、ドリル等の器具によって容易に破壊することが可能であるため、前記の手段を用いて突出部の一部に孔を開ける等して、その孔等からピアノ線等の異物を突出部内の配線部材に向けて侵入させ、遊技機を破損したり誤作動させたりする不正行為が行われるおそれがあった。特に、突出部で視認しにくい位置、例えば、前記突出部の底部や側部等に上記のように孔等を開けられた場合には、孔等を開けられた跡が発見しにくく、前記不正行為の防止が困難であるという問題があった。
【０００４】
このような問題に対して、前記突出部を耐久力がある材料で構成する等の手段が考えられるが、成形性や価格等の観点から不利であり、前記突出部を従来の構成から変更することなく、前記不正行為を防止することが切望されている。
【特許文献１】特開平１０−１７９８８０号公報
【発明の開示】
【発明が解決しようとする課題】
【０００５】
この発明は、このような状況に鑑み提案されたもので、突出部の外部、特に、視認しにくい位置から電気的装置に接続された配線部材に向けて異物を侵入させて、遊技機の破損や誤作動をさせる等の不正行為を低減することができる遊技機を提供するものである。
【課題を解決するための手段】
【０００６】
すなわち、請求項１の発明は、遊技者の遊技操作に起因して作動する第一電気的装置と、前記第一電気的装置に電気的に接続される配線部材と、正面方向に向けて突出し、前記第一電気的装置と前記配線部材が配置される突出部が形成された遊技機において、前記突出部の内部には空洞部を有すると共に前記空洞部に前記配線部材が位置するように構成され、前記空洞部のうち前記配線部材と前記突出部の底部又は側部のいずれか一方又は双方の間に前記配線部材を保護する保護部材を介在させたことを特徴とする遊技機に係る。
【０００７】
請求項２の発明は、前記第一電気的装置と前記配線部材により電気的に接続された構成であって、前記第一電気的装置の後方側に位置する第二電気的装置を備えたことを特徴とする請求項１に記載の遊技機に係る。
【０００８】
請求項３の発明は、前記保護部材が取り付けられるベース部材と、前記第一電気的装置が配設され前記突出部の少なくとも一部を形成するカバー部材とを備えており、前記ベース部材と前記カバー部材を組み合わせた際に、前記配線部材が前記空洞部に位置すると共に、前記保護部材が前記配線部材と前記突出部の底部又は側部のいずれか一方又は双方の間に位置することを特徴とする請求項１又は２に記載の遊技機に係る。
【０００９】
請求項４の発明は、前記ベース部材のうち前記カバー部材が位置する側の面の裏面側あるいは裏面に前記第二電気的装置を配設し、前記配線部材は前記ベース部材に設けた開口を通して前記第一電気的装置と前記第二電気的装置を接続することを特徴とする請求項３に記載の遊技機に係る。
【００１０】
請求項５の発明は、前記第一電気的装置の少なくとも一部が前記空洞部内に位置するように前記突出部に配設し、前記配線部材と前記突出部の前面部の間に前記空洞部内の前記第一電気的装置が位置することを特徴とする請求項１ないし４のいずれか１項に記載の遊技機に係る。
【発明の効果】
【００１１】
請求項１の発明に係る遊技機によれば、遊技者の遊技操作に起因して作動する第一電気的装置と、前記第一電気的装置に電気的に接続される配線部材と、正面方向に向けて突出し、前記第一電気的装置と前記配線部材が配置される突出部が形成された遊技機において、前記突出部の内部には空洞部を有すると共に前記空洞部に前記配線部材が位置するように構成され、前記空洞部のうち前記配線部材と前記突出部の底部又は側部のいずれか一方又は双方の間に前記配線部材を保護する保護部材を介在させたため、外部から視認しにくい突出部の底部側や側部側に孔を開ける等して前記突出部内に異物を侵入させた場合であっても、第一電気的装置や配線部材等を保護部材によって保護することが可能となり、前記第一電気的装置や配線部材等に対する不正行為を大幅に低減させることができる。
【００１２】
請求項２の発明によれば、請求項１において、前記第一電気的装置と前記配線部材により電気的に接続された構成であって、前記第一電気的装置の後方側に位置する第二電気的装置を備えたため、前記第一電気的部材と前記第二電気的部材とを接続する前記配線部材の好適な引き回しを行うことができる。
【００１３】
請求項３の発明によれば、請求項１又は２において、前記保護部材が取り付けられるベース部材と、前記第一電気的装置が配設され前記突出部の少なくとも一部を形成するカバー部材とを備えており、前記ベース部材と前記カバー部材を組み合わせた際に、前記配線部材が前記空洞部に位置すると共に、前記保護部材が前記配線部材と前記突出部の底部又は側部のいずれか一方又は双方の間に位置するため、前記カバー部材をベース部材から分離することで第一電気的装置や配線部材等に対する不正行為の確認を容易に行うことができる。
【００１４】
請求項４の発明によれば、請求項３において、前記ベース部材のうち前記カバー部材が位置する側の面の裏面側あるいは裏面に前記第二電気的装置を配設し、前記配線部材は前記ベース部材に設けた開口を通して前記第一電気的装置と前記第二電気的装置を接続するため、第一電気的装置と第二電気的装置を異なる空間に配設した場合であっても適切に接続することができる。
【００１５】
請求項５の発明によれば、請求項１ないし４において、前記第一電気的装置の少なくとも一部が前記空洞部内に位置するように前記突出部に配設し、前記配線部材と前記突出部の前面部の間に前記空洞部内の前記第一電気的装置が位置するため、前記突出部の前面部側から異物が侵入した場合であっても、配線部材等を保護することができる。
【発明を実施するための最良の形態】
【００１６】
以下添付の図面に基づきこの発明の好適な実施形態を説明する。
図１は第一実施例に係る遊技機全体の正面図、図２は同遊技機の下側球受け皿の部分斜視図、図３は下側球受け皿の分解斜視図、図４はベース部材及びカバー部材の要部断面図、図５は下側球受け皿の裏面図、図６は下側球受け皿の裏側から見た分解斜視図、図７は突出部内の空洞部の状態を表した下面図、図８は突出部内の空洞部の状態を表した側面図である。
【００１７】
図１に示す一実施例に係る遊技機（ここではパチンコ遊技機）１は、遊技盤３の縁に遊技球の外側誘導レール４及び内側誘導レール５が略円形に立設され、前記内側誘導レール５によって囲まれた遊技領域６の中心線上にその上部から下部に向かって順に表示装置９、普通電動役物である始動入賞口１０、特別電動役物である大入賞口１５、アウト口１７が配設され、また上方左右両側にはランプ風車１８ａ，１８ｂ、その下方に前記始動入賞口１０の左右に普通図柄変動開始用左ゲート１９及び普通図柄変動開始用右ゲート２１、その下方に風車２２ａ，２２ｂ、その下方に第１袖入賞口２３と第２袖入賞口２５、さらには前記大入賞口１５の両側に左落とし入賞口２７と右落とし入賞口２９が配設されている。前記種々の入賞口に遊技球が入賞すると所定数の遊技球が賞球として払い出される。また、所定条件で判定結果が当たり（この実施例では大当たり）となると、所定の特別遊技状態となって大入賞口１５が開放され、遊技球が入賞し易い状態となる。また、普通図柄変動開始用ゲート１９の検出信号により取得される普通図柄の当たり外れに関係する数値が所定値となった場合、始動入賞口１０が拡大開放状態となる。
【００１８】
前記遊技盤３の前面側には払い出された遊技球を受けるための上側球受け皿３２、前記上側球受け皿３２の飽和時に遊技球を受けるための下側球受け皿３４、遊技状態を報知するランプ表示器３５，３６、音声や効果音を発して遊技状態を遊技者に報知するスピーカ３７、遊技者の発射操作に応じて遊技球を遊技領域６に向けて弾発発射する発射装置Ｈ等がそれぞれ組み付けられている。
【００１９】
前記表示装置９の図柄表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部（可変表示領域）５０を備えている。前記画像表示部５０は、数字、アルファベット、記号あるいは絵（キャラクタ）等の普通図柄または特別図柄を変動表示及び停止表示可能としている。また、前記画像表示部５０は、前記特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。
【００２０】
この遊技機１では、表示装置９や各種役物、ランプ表示器３５，３６、スピーカ３７、発射装置Ｈ等が適宜の制御回路を有する制御基板をそれぞれ備えており、それらは図示しない主制御回路からの制御信号に基づいて所定の処理を実行するように制御されている。
【００２１】
また、本発明の遊技機１は、遊技者の遊技操作によって適宜の演出等を操作可能な操作部材６０を備える。この操作部材６０は、図２ないし図４に示すように、下側球受け皿３４の側方に配設され、操作部材本体６１と、該操作部材本体６１に遊技操作可能に取り付けられた押下部６２と、前記操作部材本体６１内に設けられ遊技者の遊技操作に起因して作動する中継基板からなる第一電気的装置６５と、コネクタ部６６を介して前記第一電気的装置６５に電気的に接続される配線部材６７とからなる。この操作部材６０では、前記押下部６２を垂直方向あるいは水平方向に適宜押下させる遊技操作を行うことによって、前記表示装置９上のキャラクタ等による演出や、各種役物、ランプ表示器３５，３６、スピーカ３７等によって適宜実行される演出を変更することができる。図の符号６３は操作部材６０の装飾部材である。
【００２２】
下側球受け皿３４は、安価で成型が容易なプラスチック等の熱可塑性樹脂からなるものであって、図２ないし図４に図示したように、背面側に遊技盤３に取り付けるためのベース部材７０が配設され、側方には前記ベース部材７０に組み合わせられるカバー部材８０が設けられていて、該カバー部材８０に前記操作部材６０が配置されるように構成される。
【００２３】
ベース部材７０には、図４ないし図６に示すように、カバー部材８０側の裏面に、操作部材６０の第一電気的装置６５と電気的に接続可能な中継基板である第二電気的装置７５が配設され、前記第二電気的装置７５の近傍に表面から裏面に貫通した開口７１が形成されている。この第二電気的装置７５は、電気的に接続された第一電気的装置６５からの信号を図示しない主制御回路等の適宜の制御基板に中継するように構成されるものである。したがって、第二電気的装置７５を前記の如く前記制御基板等に比較的近い位置、すなわち、ベース部材７０の裏面に配設することが好ましい。なお、これにより第一電気的装置６５と第二電気的装置７５とがベース部材７０によって隔てられて異なる空間に配設されるが、ベース部材７０の表面側から開口７１を介して裏面に配線部材６７を通すことによって、第一電気的装置６５と第二電気的装置７５を適切に接続することができる。図において、符号６８は第二電気的装置７５に接続するための配線部材６７の接続部、７６は配線部材６７の接続部６８と接続されるコネクタ部、７７は第二電気的装置７５を主制御回路等の適宜の制御回路に電気的に接続するための配線部材、７８は配線部材７７の接続部、７９は配線部材７７の接続部７８と接続される第二電気的装置７５のコネクタ部である。
【００２４】
カバー部材８０は、図３，４，６に図示したように、ベース部材７０と組み合わせた際に正面方向に向けて突出する突出部８１からなり、該突出部８１の内部が空洞部８２として構成されると共に、上面８３側には前記操作部材６０を配置するための穴部８４が設けられていて、操作部材６０は操作部材本体６１の下部とコネクタ部６６と配線部材６７とが前記空洞部８２に位置するように前記穴部８４に配置される。図において、符号８１ａは突出部８１の底部、８１ｂは突出部８１の側部、８１ｃは突出部８１の前面部を表す。
【００２５】
カバー部材８０の突出部８１に前記操作部材６０を配置する際には、第一電気的部材６５と接続される第二電気的部材７５が操作部材６０の後方側に位置することから、第一電気的部材６５及びコネクタ部６６をベース部材７０側（後方側）に向けることが好ましく、これにより、第一電気的部材６５と第二電気的部材７５とを接続する配線部材６７の好適な引き回しを行うことができる。また、このように操作部材６０を配置することにより、配線部材６７と突出部８１の前面部８１ｃの間に第一電気的装置６５が位置するように構成されて、前記突出部８１の前面部８１ｃ側から異物が侵入した場合でも、前記第一電気的装置６５を有する操作部材本体６１によって前記異物の侵入を妨げることができる。
【００２６】
突出部８１内の空洞部８２には、図３，４，６に示すように、操作部材６０の配線部材６７と前記突出部８１の底部８１ａ及び側部８１ｂとの間に前記配線部材６７を保護するための保護部材８５が介在されている。この保護部材８５は、前記ベース部材７０表面側の開口７１下方に取り付けられ、突出部の底部８１ａと配線部材６７との間に介在される下板部８６と、突出部の側部８１ｂと配線部材６７との間に介在される側板部８７とからなる断面略Ｌ字型の薄板状に形成され、鉄等の金属やセラミック等の耐熱性，耐薬品性，耐久性、耐衝撃性等に優れた材料によって構成される。すなわち、タバコの熱や薬品，ドリル等の器具等では変質、破壊等がされにくい材質であればよい。符号８８はベース部材７０への取付部である。
【００２７】
上記の如く、保護部材８５がベース部材７０に取り付けられ、第一電気的装置６５を有する操作部材６０が前記ベース部材７０組み合わせられるカバー部材８０に配設されているため、前記カバー部材８０をベース部材７０から分離することで第一電気的装置６５や配線部材６７等に対する不正行為の確認作業を容易に行うことができる。
【００２８】
このように構成された本発明の遊技機１にあっては、図４及び図７に示すように、突出部８１内の空洞部８２において、操作部材６０の配線部材６７側下方を保護部材８５の下板部８６によって遮蔽するため、突出部８１の底部８１ａ側から前記突出部８１内に異物を侵入させて第一電気的装置６５や配線部材６７等に対して不正行為を行おうとした場合であっても、前記保護部材８５の下板部８６によって前記異物の侵入を妨げることができ、前記不正行為を防止することができる。
【００２９】
また、この遊技機１では、図４及び図８に示すように、突出部８１内の空洞部８２において、操作部材６０の配線部材６７側の側方を保護部材８５の側板部８７によって遮蔽するため、突出部８１の側部８１ｂ側から前記突出部８１内に異物を侵入させて第一電気的装置６５や配線部材６７等に対して不正行為を行おうとした場合であっても、前記保護部材８５の側板部８７によって前記異物の侵入を妨げることができ、前記不正行為を防止することができる。
【００３０】
したがって、外部から視認しにくい突出部８１の底部８１ａ側や側部８１ｂ側に対してタバコの熱や薬品，ドリル等の器具等によって孔を開ける等して前記突出部８１内に異物を侵入させた場合であっても、第一電気的装置６５や配線部材６７等を保護部材８５によって保護することが可能となり、前記第一電気的装置６５や配線部材６７等に対する不正行為を大幅に低減させることができる。また、前記不正行為によって突出部８１に孔等が開けられた際に、前記突出部８１内に埃等が侵入した場合でも、保護部材８５により配線部材６７等に埃等が付着することを防止することができ、埃等による誤作動の発生等も低減することができる。
【００３１】
なお、本発明は、上記実施例で述べた構成に限るものではなく、発明の趣旨を逸脱しない範囲内において構成の一部を適宜変更して実施することができる。本発明は、パチンコ遊技機を用いて説明したが、スロットマシン遊技機等の適宜の遊技機に適用することができる。
【００３２】
実施例では、突出部を下側球受け皿側方のカバー部材として構成したが、これに限定されるものではなく、上側球受け皿や遊技機の前枠等、用途に応じて適宜の位置に突出部を設けることができる。
【００３３】
また、実施例では、配線部材と突出部の底部及び側部に保護部材を介在させるように構成したが、突出部を設ける位置によっては、前記突出部の底部又は側部のいずれか一方にのみ介在させるように構成してもよく、さらに、視認が容易な突出部の上面側や前面部側等の位置に前記保護部材を介在させるように構成しても構わない。
【００３４】
さらに、保護部材にアース等を取り付け、球受け皿に貯留された遊技球や球受け皿の下方にある貯留箱（ドル箱）に貯留された遊技球等から発生するノイズ等が配線部材等にのることによって生じる誤動作を低減させる構成としてもよい。
【００３５】
また、実施例の操作部材は、表示装置による演出や、各種役物等で適宜実行される演出を操作するものとしたが、球貸しスイッチ等の演出に関わらない操作が可能な部材でもよい。そして、操作部材に設けられた第一電気的装置や、該第一電気的装置と電気的に接続される第二電気的装置は、中継基板に限定するものではなく、主制御基板，払出制御基板，電源等の配線部材が接続される適宜の電気的装置とすることができる。このような場合に本発明を適用すれば、遊技球の払い出しや大当たり等に関わる制御基板が大量の遊技球が払い出されたり大量の大当たりを得る等の不正等を目的として操作されるおそれを低減することが可能であり、不正行為の防止に極めて有効である。
【００３６】
さらに、実施例の第二電気的装置は、ベース部材の裏面に配設されるように構成したが、第一電気的装置の後方側に位置するように配置されるものであればどの位置に配設してもよく、例えば、ベース部材の表面やカバー部材の突出部内，ベース部材の裏面側の適宜の部材等に配設しても構わない。
【図面の簡単な説明】
【００３７】
【図１】第一実施例に係る遊技機全体の正面図である
【図２】同遊技機の下側球受け皿の部分斜視図である。
【図３】下側球受け皿の分解斜視図である。
【図４】ベース部材及びカバー部材の要部断面図である。
【図５】下側球受け皿の裏面図である。
【図６】下側球受け皿の裏側から見た分解斜視図である。
【図７】突出部内の空洞部の状態を表した下面図である。
【図８】突出部内の空洞部の状態を表した側面図である。
【符号の説明】
【００３８】
１  遊技機
６０  操作部材
６５  第一電気的装置
６６  コネクタ部
６７  配線部材
７０  ベース部材
７１  開口
７５  第二電気的部材
８０  カバー部材
８１  突出部
８１ａ  突出部の底部
８１ｂ  突出部の側部
８１ｃ  突出部の前面部
８２  空洞部
８５  保護部材
【図１】
2007195724.tif 000003
【図２】
2007195724.tif 000004
【図３】
2007195724.tif 000005
【図４】
2007195724.tif 000006
【図５】
2007195724.tif 000007
【図６】
2007195724.tif 000008
【図７】
2007195724.tif 000009
【図８】
2007195724.tif 000010